(57)【特許請求の範囲】
【請求項１】
無線通信において、ＵＥ（user equipment）が下りリンクデータを受信する方法であって、
ＤＣＩ（Downlink Control Information）のための少なくとも１つの制御リソース集合に関連する情報を受信し、
上位層を経由して、前記少なくとも１つの制御リソース集合における前記下りリンクデータの受信に関連するレートマッチング情報を受信し、
前記レートマッチング情報に基づいて前記下りリンクデータを受信することを含み、
前記レートマッチング情報が第１情報を含むとき、前記下りリンクデータは、前記少なくとも１つの制御リソース集合の中の前記ＤＣＩが検出される制御リソース集合で受信され、
前記レートマッチング情報が前記第１情報を含むとき、前記下りリンクデータは、前記少なくとも１つの制御リソース集合の中の前記ＤＣＩが検出されない制御リソース集合で受信されない、方法。
【請求項２】
前記レートマッチング情報が第２情報を含むとき、前記下りリンクデータは、前記ＤＣＩが検出される制御リソース集合で受信されない、請求項１に記載の方法。
【請求項３】
前記ＤＣＩは、短いＴＴＩ（Transmission Time Interval）のためのものである、請求項１に記載の方法。
【請求項４】
前記下りリンクデータは、前記ＤＣＩのためのＲＥＧ（Resource Element Group）にマッピングされない、請求項１に記載の方法。
【請求項５】
無線通信において、下りリンクデータを受信するＵＥ（user equipment）であって、
ＢＳ（base station）と無線信号を送受信するためのトランシーバーと、
前記トランシーバーを制御するプロセッサと、を含み、
前記プロセッサは、
ＤＣＩ（Downlink Control Information）のための少なくとも１つの制御リソース集合に関連する情報を受信するように前記トランシーバーを制御し、
上位層を経由して、前記少なくとも１つの制御リソース集合における前記下りリンクデータの受信に関連するレートマッチング情報を受信するように前記トランシーバーを制御し、
前記レートマッチング情報に基づいて前記下りリンクデータを受信するように前記トランシーバーを制御するように設定され、
前記レートマッチング情報が第１情報を含むとき、前記下りリンクデータは、前記少なくとも１つの制御リソース集合の中の前記ＤＣＩが検出される制御リソース集合で受信され、
前記レートマッチング情報が前記第１情報を含むとき、前記下りリンクデータは、前記少なくとも１つの制御リソース集合の中の前記ＤＣＩが検出されない制御リソース集合で受信されない、ＵＥ。
【請求項６】
前記レートマッチング情報が第２情報を含むとき、前記下りリンクデータは、前記ＤＣＩが検出される制御リソース集合で受信されない、請求項５に記載のＵＥ。
【請求項７】
前記ＤＣＩは、短いＴＴＩ（Transmission Time Interval）のためのものである、請求項５に記載のＵＥ。
【請求項８】
前記下りリンクデータは、前記ＤＣＩのためのＲＥＧ（Resource Element Group）にマッピングされない、請求項５に記載のＵＥ。
【請求項９】
無線通信において、ＢＳ（base station）が下りリンクデータを送信する方法であって、
ＤＣＩ（Downlink Control Information）のための少なくとも１つの制御リソース集合に関連する情報を送信し、
上位層を経由して、前記少なくとも１つの制御リソース集合における前記下りリンクデータの受信に関連するレートマッチング情報を送信し、
前記レートマッチング情報に基づいて前記下りリンクデータを送信することを含み、
前記レートマッチング情報が第１情報を含むとき、前記下りリンクデータは、前記少なくとも１つの制御リソース集合の中の前記ＤＣＩが検出される制御リソース集合で送信され、
前記レートマッチング情報が前記第１情報を含むとき、前記下りリンクデータは、前記少なくとも１つの制御リソース集合の中の前記ＤＣＩが検出されない制御リソース集合で送信されない、方法。
【請求項１０】
無線通信において、下りリンクデータを送信するＢＳ（base station）であって、
ＵＥ（user equipment）と無線信号を送受信するためのトランシーバーと、
前記トランシーバーを制御するプロセッサと、を含み、
前記プロセッサは、
ＤＣＩ（Downlink Control Information）のための少なくとも１つの制御リソース集合に関連する情報を送信するように前記トランシーバーを制御し、
上位層を経由して、前記少なくとも１つの制御リソース集合における前記下りリンクデータの受信に関連するレートマッチング情報を送信するように前記トランシーバーを制御し、
前記レートマッチング情報に基づいて前記下りリンクデータを送信するように前記トランシーバーを制御するように設定され、
前記レートマッチング情報が第１情報を含むとき、前記下りリンクデータは、前記少なくとも１つの制御リソース集合の中の前記ＤＣＩが検出される制御リソース集合で送信され、
前記レートマッチング情報が前記第１情報を含むとき、前記下りリンクデータは、前記少なくとも１つの制御リソース集合の中の前記ＤＣＩが検出されない制御リソース集合で送信されない、ＢＳ。
【請求項１１】
無線通信において、下りリンクデータを受信する装置であって、
少なくとも一つのプロセッサと、
前記少なくとも一つのプロセッサと動作可能に接続され、命令を貯蔵する少なくとも一つのコンピュータメモリと、を含み、
前記命令は、前記少なくとも一つのプロセッサによって実行されるとき、
ＤＣＩ（Downlink Control Information）のための少なくとも１つの制御リソース集合に関連する情報を受信し、
上位層を経由して、前記少なくとも１つの制御リソース集合における前記下りリンクデータの受信に関連するレートマッチング情報を受信し、
前記レートマッチング情報に基づいて前記下りリンクデータを受信することを含む動作を実行し、
前記レートマッチング情報が第１情報を含むとき、前記下りリンクデータは、前記少なくとも１つの制御リソース集合の中の前記ＤＣＩが検出される制御リソース集合で受信され、
前記レートマッチング情報が前記第１情報を含むとき、前記下りリンクデータは、前記少なくとも１つの制御リソース集合の中の前記ＤＣＩが検出されない制御リソース集合で受信されない、装置。
【発明の詳細な説明】
【技術分野】
【０００１】
本発明は、下りリンクデータを送受信する方法及びそのための装置に関し、より詳しくは、下りリンク制御情報を送受信するためのリソースブロック集合（Ｒｅｓｏｕｒｃｅ  Ｂｌｏｃｋ  Ｓｅｔ）により下りリンクデータを送受信する方法及びそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定されてよい。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス利用可能性の増大、柔軟な周波数バンドの使用、単純構造と開放型インターフェース、端末の適度な電力消費などが要求される
【発明の概要】
【発明が解決しようとする課題】
【０００７】
本発明は、下りリンクデータを送受信する方法及びそのための装置を提供する。
【０００８】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００９】
本発明の実施例による無線通信システムにおいて、端末が下りリンクデータを受信する方法であって、下りリンク制御情報のための少なくとも１つの制御リソース集合に関連する情報を受信し、該少なくとも１つの制御リソース集合の各々における下りリンクデータの受信有無に関連するレートマッチング情報を受信し、該レートマッチング情報に基づいて少なくとも１つの制御集合の各々において下りリンクデータを受信することを含み、レートマッチング情報が第１情報を含む場合、下りリンク制御情報が検出されない制御リソース集合では下りリンクデータが受信されない。
【００１０】
この時、レートマッチング情報が第１情報を含む場合、下りリンク制御情報が検出された制御リソース集合で下りリンクデータが受信される。
【００１１】
またレートマッチング情報が第２情報を含む場合、下りリンク制御情報が検出された制御リソース集合では下りリンクデータが受信されない。
【００１２】
また下りリンク制御情報は、短いＴＴＩ（Ｓｈｏｒｔ  ｔｒａｎｓｍｉｓｓｉｏｎ  Ｔｉｍｅ  Ｉｎｔｅｒｖａｌ）のためのものである。
【００１３】
また下りリンクデータは、下りリンク制御情報のためのＲＥＧ（Ｒｅｓｏｕｒｃｅ  Ｅｌｅｍｅｎｔ  Ｇｒｏｕｐ）にはマッピングされない。
【００１４】
本発明による無線通信システムにおいて、下りリンクデータを受信する端末であって、基地局と無線信号を送受信するトランシーバーと、該トランシーバーを制御するプロセッサと、を含み、該プロセッサは、下りリンク制御情報のための少なくとも１つの制御リソース集合に関連する情報を受信するようにトランシーバーを制御し、少なくとも１つの制御リソース集合の各々における下りリンクデータの受信有無に関連するレートマッチング情報を受信するようにトランシーバーを制御し、レートマッチング情報に基づいて少なくとも１つの制御集合の各々において下りリンクデータを受信するようにトランシーバーを制御することを特徴とし、レートマッチング情報が第１情報を含む場合、下りリンク制御情報が検出されない制御リソース集合では下りリンクデータが受信されない。
【００１５】
この時、レートマッチング情報が第１情報を含む場合、下りリンク制御情報が検出された制御リソース集合で下りリンクデータが受信される。
【００１６】
またレートマッチング情報が第２情報を含む場合、下りリンク制御情報が検出された制御リソース集合では下りリンクデータが受信されない。
【００１７】
また下りリンク制御情報は、短いＴＴＩ（Ｓｈｏｒｔ  ｔｒａｎｓｍｉｓｓｉｏｎ  Ｔｉｍｅ  Ｉｎｔｅｒｖａｌ）のためのものである。
【００１８】
また下りリンクデータは、下りリンク制御情報のためのＲＥＧ（Ｒｅｓｏｕｒｃｅ  Ｅｌｅｍｅｎｔ  Ｇｒｏｕｐ）にはマッピングされない。
【００１９】
本発明の実施例による無線通信システムにおいて、基地局が下りリンクデータを送信する方法において、下りリンク制御情報のための少なくとも１つの制御リソース集合に関連する情報を送信し、少なくとも１つの制御リソース集合の各々における下りリンクデータの送信有無に関連するレートマッチング情報を送信し、レートマッチング情報に基づいて少なくとも１つの制御集合の各々において下りリンクデータを送信することを含み、レートマッチング情報が第１情報を含む場合、下りリンク制御情報が送信されない制御リソース集合では下りリンクデータが送信されない。
【００２０】
本発明による無線通信システムにおいて、下りリンクデータを送信する基地局であって、端末と無線信号を送受信するトランシーバーと、該トランシーバーを制御するプロセッサと、を含み、該プロセッサは、下りリンク制御情報のための少なくとも１つの制御リソース集合に関連する情報を送信するようにトランシーバーを制御し、少なくとも１つの制御リソース集合の各々における下りリンクデータの送信有無に関連するレートマッチング情報を送信するようにトランシーバーを制御し、レートマッチング情報に基づいて少なくとも１つの制御集合の各々において下りリンクデータを送信するようにトランシーバーを制御することを特徴とし、レートマッチング情報が第１情報を含む場合、下りリンク制御情報が送信されない制御リソース集合では下りリンクデータが送信されない。
【発明の効果】
【００２１】
本発明によれば、下りリンク制御情報を送信するためのリソースブロック集合（Ｒｅｓｏｕｒｃｅ  Ｂｌｏｃｋ  Ｓｅｔ）の一部をデータ送信に使用して、データ送信効率を向上させることができる。
【００２２】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００２３】
【図１】無線通信システムの一例としてＥ−ＵＭＴＳネットワーク構造を概略的に示す図である。
【図２】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらを用いた一般的な信号送信方法を説明する図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで下りリンク制御チャネルを構成するために使用されるリソース単位を示す図である。
【図７】ＬＴＥシステムで用いられる上りリンクサブフレームの構造を例示する図である。
【図８】本発明の実施例によるリソースブロック集合（Ｒｅｓｏｕｒｃｅ  Ｂｌｏｃｋ  Ｓｅｔ）によりＤＣＩを送信する方法を示す図である。
【図９】本発明によって端末がＤＣＩ送信のためのリソースブロック集合（Ｒｅｓｏｕｒｃｅ  Ｂｌｏｃｋ  Ｓｅｔ）でデータを受信する実施例を示すフローチャートである。
【図１０】本発明によって基地局がＤＣＩ送信のためのリソースブロック集合（Ｒｅｓｏｕｒｃｅ  Ｂｌｏｃｋ  Ｓｅｔ）でデータを送信する実施例を示すフローチャートである。
【図１１】本発明の実施例によってＤＣＩ送信のためのリソースブロック集合（Ｒｅｓｏｕｒｃｅ  Ｂｌｏｃｋ  Ｓｅｔ）でデータを送受信する実施例を示すダイアグラムである。
【図１２】本発明を行う送信装置１０及び受信装置２０の構成要素を示すブロック図である。
【発明を実施するための形態】
【００２４】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２５】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形されて適用されてもよい。
【００２６】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２７】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体アクセス制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを通じて媒体アクセス制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２８】
第２層の媒体アクセス制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２９】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層との間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３０】
基地局（ｅＮＢ）を構成する１つのセルは、１．２５，２．５，５，１０，１５，２０Ｍｈｚなどの帯域幅のうちの１つに設定されて複数の端末に下り又は上り送信サービスを提供する。互いに異なるセルは互いに異なる帯域幅を提供するように設定される。
【００３１】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを通じて送信されてもよく、別の下りＭＣＨ（Ｍｕｌｔｉｃａｓｔ  Ｃｈａｎｎｅｌ）を通じて送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３２】
図３は、３ＧＰＰシステムに用いられる物理チャネル及びこれらのチャネルを用いた一般の信号送信方法を説明するための図である。
【００３３】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−Ｈ）を受信して基地局と同期を取り、セルＩＤなどの情報を取得すればよい。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ  ＲＳ）を受信し、下りリンクチャネル状態を確認できる。
【００３４】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得できる（Ｓ３０２）。
【００３５】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行ってよい（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして送信し（Ｓ３０３及びＳ３０５）、ＰＤＣＣＨ及び対応するＰＤＳＣＨを通じて、プリアンブルに対する応答メッセージを受信すればよい（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００３６】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行えばよい。特に、端末はＰＤＣＣＨを通じて下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報のような制御情報を含んでおり、その使用目的によってフォーマットが異なっている。
【００３７】
一方、端末が上りリンクを通じて基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００３８】
図４は、ＬＴＥシステムで用いられる無線フレームの構造を例示する図である。
【００３９】
図４を参照すると、無線フレーム（ｒａｄｉｏ  ｆｒａｍｅ）は１０ｍｓ（３２７２００×Ｔｓ）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔｓ）の長さを有する。ここで、Ｔｓはサンプリング時間を表し、Ｔｓ＝１／（１５ｋＨｚ×２０４８）＝３．２５５２×１０−８（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００４０】
図５は、下りリンク無線フレームにおいて一つのサブフレームの制御領域に含まれる制御チャネルを例示する図である。
【００４１】
図５を参照すると、サブフレームは１４個のＯＦＤＭシンボルで構成されている。サブフレーム設定によって最初の１〜３個のＯＦＤＭシンボルは制御領域として用いられ、残り１３〜１１個のＯＦＤＭシンボルはデータ領域として用いられる。同図で、Ｒ０乃至Ｒ３は、アンテナ０乃至３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００４２】
ＰＣＦＩＣＨは物理制御フォーマット指示子チャネルで、各サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ＯＦＤＭシンボルで定義される最小物理リソースを表す。ＰＣＦＩＣＨ値は帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００４３】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ  ＡＣＫ／ＮＡＣＫを運ぶために用いられる。すなわち、ＰＨＩＣＨは、ＵＬ  ＨＡＲＱのためのＤＬ  ＡＣＫ／ＮＡＣＫ情報が送信されるチャネルを表す。ＰＨＩＣＨは、１個のＲＥＧで構成され、セル固有（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散率（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシチ利得を得るために３回反復（ｒｅｐｅｔｉｔｉｏｎ）される。
【００４４】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて送信される。したがって、基地局と端末は一般に、特定の制御情報又は特定のサービスデータ以外は、ＰＤＳＣＨを通じてデータをそれぞれ送信及び受信する。
【００４５】
ＰＤＳＣＨのデータがいずれの端末（一つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」というＤＣＩフォーマット、すなわち、伝送形式情報（例、伝送ブロックサイズ、変調方式、コーディング情報など）を用いて送信されるデータに関する情報が、特定サブフレームで送信されると仮定する。この場合、セル内の端末は、自身が持っているＲＮＴＩ情報を用いて検索領域でＰＤＣＣＨをモニタ、すなわち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００４６】
図６はＬＴＥシステムにおいて下りリンク制御チャネルを構成するために使用されるリソース単位を示す図である。特に、図６の（ａ）は基地局の送信アンテナの数が１つ又は２つである場合を示しており、図６の（ｂ）は基地局の送信アンテナの数が４つである場合を示している。送信アンテナの数によってＲＳ（Ｒｅｆｅｒｅｎｃｅ  Ｓｉｇｎａｌ）パターンが異なるだけで、制御チャネルに関連するリソース単位の設定方法は同一である。
【００４７】
図６を参照すると、下りリンク制御チャネルの基本リソース単位はＲＥＧ（Ｒｅｓｏｕｒｃｅ  Ｅｌｅｍｅｎｔ  Ｇｒｏｕｐ）である。ＲＥＧはＲＳを除いて４つの隣り合うリソース要素（ＲＥ）で構成される。図面においてＲＥＧは太線で表している。ＰＣＦＩＣＨ及びＰＨＩＣＨはそれぞれ、４つのＲＥＧ及び３つのＲＥＧを含む。ＰＤＣＣＨはＣＣＥ単位で構成され、１つのＣＣＥは９つのＲＥＧを含む。
【００４８】
端末は自分に
0006889278.tif 000002
個のＣＣＥからなるＰＤＣＣＨが伝送されたか否かを確認するために、
0006889278.tif 000003
個の連続するか或いは特定の規則で配置されたＣＣＥを確認する。端末がＰＤＣＣＨ受信のために考慮すべき
0006889278.tif 000004
の値は複数であってもよい。端末がＰＤＣＣＨ受信のために確認すべきＣＣＥ集合を検索領域（ｓｅａｒｃｈ  ｓｐａｃｅ）という。一例として、ＬＴＥシステムでは検索領域を表１のように定義している。
【００４９】
【表１】
0006889278.tif 000005
【００５０】
ここで、ＣＣＥアグリゲーションレベル
0006889278.tif 000006
はＰＤＣＣＨを構成するＣＣＥの数を表し、
0006889278.tif 000007
は、ＣＣＥアグリゲーションレベル
0006889278.tif 000008
の検索領域を表し、
0006889278.tif 000009
はアグリゲーションレベル
0006889278.tif 000010
の検索領域においてモニタすべきＰＤＣＣＨ候補の数である。
【００５１】
検索領域は、特定端末に対してのみ接近が許容される端末固有検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別できる。端末は、ＣＣＥアグリゲーションレベルが４及び８である共通検索領域をモニタし、ＣＣＥアグリゲーションレベルが１、２、４及び８である端末特定検索領域をモニタする。共通検索領域及び端末固有検索領域はオーバーラップしてもよい。
【００５２】
また、各々のＣＣＥアグリゲーションレベル値に対して任意の端末に与えられるＰＤＣＣＨ検索領域において最初の（最も小さいインデックスを有する）ＣＣＥの位置は、端末によって各サブフレームごとに変わる。これをＰＤＣＣＨ検索領域ハッシュ（ｈａｓｈｉｎｇ）という。
【００５３】
ＣＣＥはシステム帯域に分散されてもよい。より具体的には、論理的に連続した複数のＣＣＥをインターリーバ（ｉｎｔｅｒｌｅａｖｅｒ）に入力することができ、該インターリーバは、入力された複数のＣＣＥをＲＥＧ単位で取り混ぜる機能を果たす。このため、１つのＣＣＥを構成する周波数／時間リソースが物理的にサブフレームの制御領域内で全ての周波数／時間領域に亘って散在して分布する。その結果、制御チャネルはＣＣＥ単位で構成されるが、インタリービングがＲＥＧ単位で行われるため、周波数ダイバーシチ及び干渉ランダム化（ｉｎｔｅｒｆｅｒｅｎｃｅ  ｒａｎｄｏｍｉｚａｔｉｏｎ）の利得を最大化することができる。
【００５４】
図７は、ＬＴＥシステムで用いられる上りリンクサブフレームの構造を示す図である。
【００５５】
図７を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要求であるＳＲ（Ｓｃｈｅｄｕｌｉｎｇ  Ｒｅｑｕｅｓｔ）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００５６】
以下、本格的に本発明の実施例による下りリンク制御情報を送信するためのＲＢ集合（Ｒｅｓｏｕｒｃｅ  Ｂｌｏｃｋ  Ｓｅｔ；ＲＢ  ｓｅｔ）を用いて下りリンクデータを送受信する方法について説明する。
【００５７】
通信システムでは基地局がＰＤＣＣＨ（Ｐｈｙｓｉｃａｌ  Ｄｏｗｎｌｉｎｋ  Ｃｏｎｔｒｏｌ  Ｃｈａｎｎｅｌ）を介して端末にＤＣＩ（Ｄｏｗｎｌｉｎｋ  Ｃｏｎｔｒｏｌ  Ｉｎｆｏｒｍａｔｉｏｎ）を送信してデータ送受信のための一連の動作を指示する。この時、基地局は端末からフィードバックされたチャネル環境などに基づいてＤＣＩの信頼度（ｒｅｌｉａｂｉｌｉｔｙ）を調整し、この調整された信頼度に基づいてＤＣＩを端末に送信する。
【００５８】
例えば、基地局はチャネル環境が良好ではない端末のために、より多い制御チャネル領域を活用して低いコードレート（ｃｏｄｅ  ｒａｔｅ）に基づいてＤＣＩを送信することにより、ＤＣＩ送信の信頼度を高める。この時、端末はＤＣＩが送信されるＰＤＣＣＨの候補領域に対する多数の仮定を定義し、この定義された各々の仮定によってブラインド復号（ｂｌｉｎｄ  ｄｅｃｏｄｉｎｇ）を試みる。
【００５９】
また上記定義された各々の仮定についてブラインド復号を行う間、ＤＣＩ復号に成功した場合は、復号されたＤＣＩによって特定の動作を行う。
【００６０】
この場合、ＰＤＣＣＨのために割り当てられたリソースのうち、ＤＣＩを送信するリソースを除いた残りのリソースが空くが、このように空いたリソースをデータ送信に使用すると、リソース使用の効率を高めながらデータ送信の処理量（ｔｈｒｏｕｇｈｐｕｔ）を増加させることができる。特に、かかる動作は短いＴＴＩで構成されたシステムでＴＴＩ内のデータ送信のためのリソース領域が大きくない場合に有用である。
【００６１】
従って、本発明では、通信システムにおいて端末がＤＣＩ送信のためのリソース領域の一部をデータ送信に使用する方法を提案する。本発明における発明事項及び／又は実施例は１つの提案方式と見なすこともできるが、各々の発明事項及び／又は実施例の間の組み合わせも新しい方式と見なされることができる。
【００６２】
また本発明において、基地局が端末に設定するパラメータは、ＲＢ集合（Ｒｅｓｏｕｒｃｅ  Ｂｌｏｃｋ  Ｓｅｔ；ＲＢ  ｓｅｔ）ごとに異なるように設定でき、ＤＣＩのマッピング方式、即ち、分散的（ｄｉｓｔｒｉｂｕｔｅｄ）マッピングであるか又は局部的（ｌｏｃａｌｉｚｅｄ）マッピングであるかによって異なるように設定できる。また、この設定するパラメータは、ＣＲＳ基盤の動作であるか又はＤＭＲＳ基盤の動作であるかによって異なるように設定でき、時間優先（ｔｉｍｅ−ｆｉｒｓｔ）のマッピング方式であるか又は周波数優先（ｆｒｅｑｕｅｎｃｙ−ｆｉｒｓｔ）のマッピング方式であるかによって異なるように設定することもできる。
【００６３】
例えば、レガシー（Ｌｅｇａｃｙ）ＬＴＥシステムは、１ｍｓ長さのサブフレームの前側に配置された１つ以上のシンボルをＰＤＣＣＨと設定して、該設定されたＰＤＣＣＨを介して基地局が端末にＤＣＩを送信する。この時、ＤＣＩが送信されるチャネル状態によって１つ以上のＣＣＥ（Ｃｏｎｔｒｏｌ  Ｃｈａｎｎｅｌ  Ｅｌｅｍｅｎｔ）をアグリゲーション（ａｇｇｒｅｇａｔｉｏｎ）できるように、多数のアグリゲーションレベル（Ａｇｇｒｅｇａｔｉｏｎ  Ｌｅｖｅｌ；ＡＬ）を設定し、ブラインド復号（Ｂｌｉｎｄ  Ｄｅｃｏｄｉｎｇ；ＢＤ）によりＤＣＩの復号を試みる。
【００６４】
かかる動作は、レガシーＬＴＥシステムとは異なるＴＴＩ単位で動作する環境でも同様に適用できる。例えば、レガシーＬＴＥシステムより短いＴＴＩ（ｓＴＴＩ）に基づいて動作する通信システムでも同様に適用できる。
【００６５】
また本発明の説明では、短いＴＴＩ単位を有するシステムを例示しているが、本発明の事項は該当システムのみに限定されることではない。また本発明で説明するｓＲＥＧ、ｓＣＣＥ  ｓＤＣＩなどは、短いＴＴＩ単位を有するシステムに限定されて適用されることではなく、一般的なＲＥＧ、ＣＣＥ、ＤＣＩに対応して適用されることができる。即ち、本発明で使用されるｓＲＥＧ、ｓＣＣＥ、ｓＤＣＩなどの用語は、一般的なＲＥＧ、ＣＣＥ、ＤＣＩと混用して使用できる。
【００６６】
なお、短いＴＴＩ環境でＤＣＩを送信するための基本単位としてｓＲＥＧ（ｓｈｏｒｔ  Ｒｅｓｏｕｒｃｅ  Ｅｌｅｍｅｎｔ  Ｇｒｏｕｐ）が使用され、ｓＲＥＧは時間単位１シンボル、周波数単位１ＲＢ（Ｒｅｓｏｕｒｃｅ  Ｂｌｏｃｋ）と設定できる。
【００６７】
また、複数のｓＲＥＧを集めてｓＣＣＥ（ｓｈｏｒｔ  ＣＣＥ）を構成でき、ＡＬによって１つ以上のｓＣＣＥを活用してｓＤＣＩを送信できる。またＤＣＩは基地局が設定した制御ＲＢ集合（ｃｏｎｔｒｏｌ  ＲＢ  ｓｅｔ）により送信されるが、制御ＲＢ集合は基地局の設定によって様々な個数のＲＢとシンボルで構成されることができる。またＡＬに対応する１つ以上のｓＣＣＥによりＤＣＩを送信する時、局部的（Ｌｏｃａｌｉｚｅｄ）方式でｓＣＣＥを連続して制御ＲＢ集合に含まれた物理リソース（ｐｈｙｓｉｃａｌ  ｒｅｓｏｕｒｃｅ）上にマッピングでき、分散的（Ｄｉｓｔｒｉｂｕｔｅｄ）方式でｓＣＣＥを不連続的に制御ブロック集合に含まれた物理リソース上にマッピングすることもできる。
【００６８】
なお、基地局は端末に制御ＲＢ集合を設定し、該当制御ＲＢ集合のうち、ｓＤＣＩが送信されるＲＢに対してデータをレートマッチング（ｒａｔｅ  ｍａｔｃｈｉｎｇ）して送信することができる。即ち、ｓＤＣＩのためのｓＲＥＧと同じＲＢに位置する隣接シンボルのｓＲＥＧは空で送信されるが、この空いたｓＲＥＧ領域を基地局が他の端末のｓＤＣＩ送信に使用するか又は上位層シグナリング（ｈｉｇｈｅｒ  ｌａｙｅｒ  ｓｉｇｎａｌｉｎｇ）及び／又は物理層シグナリング（ｐｈｙｓｉｃａｌ  ｌａｙｅｒ  ｓｉｇｎａｌｉｎｇ）により空いたｓＲＥＧ領域にデータを送信するか否かを特定の指示子などにより知らせることができる。ここで、特定の指示子はｓＤＣＩ内に含まれて送信されるか、又はｓＤＣＩとは別に送信され、１ビットで構成されることもできる。
【００６９】
図８を参照しながらより具体的に説明すると、１つのｓＣＣＥが４つのｓＲＥＧで構成されると仮定する時、図８のように制御ＲＢ集合が設定され、ＡＬ＝２で２つのｓＣＣＥに該当するｓＲＥＧ１、２、４、８、１１、１５、１６、２０によりｓＤＣＩが送信されることができる。この場合、基本的にｓＤＣＩが送信されるＲＢを除いた残りのｓＲＥＧにはデータをレートマッチングすることができる。言い換えれば、ｓＲＥＧ６、７、１２、１３、１８、１９、２２〜３１にデータをレートマッチングすることができる。ここで、ｓＲＥＧのサイズが１ＲＢであるので、１つのＲＢは図８におけるｓＲＥＧのサイズに対応する。
【００７０】
反面、ｓＤＣＩが送信されるＲＢでｓＤＣＩが送信さいないｓＲＥＧ０、３、５、９、１０、１４、１７、２１については基地局が上位層シグナリング及び／又は物理層シグナリングにより該当領域に対するデータのレートマッチング有無を１ビット指示子により知らせることができる。即ち、端末は１ビット指示子の値によってｓＲＥＧ０、３、５、９、１０、１４、１７、２１の全体にデータが送信されることを仮定するか、又はｓＲＥＧ  ０、３、５、９、１０、１４、１７、２１の全体が空で送信されることを仮定して制御ＲＢ集合を復号することができる。
【００７１】
なお、１ビットの指示子が必ず１ビットで構成される必要はなく、場合によって複数のビットで構成でき、該当制御ＲＢ集合にデータをレートマッチングして送信するか否かに関する情報を特定モードの形態で端末に伝達することができる。例えば、データのレートマッチングに関する情報が‘モードｍ’と設定される場合、端末は自分のｓＤＣＩが検出された制御ＲＢ集合ではデータが送信されず、該当制御ＲＢ集合の全てが空くことと解釈できる。即ち、上述した例示において、指示子又はレートマッチングに関する情報が特定の値又は特定のモードを指示する場合、ｓＲＥＧ０、３、５、９、１０、１４、１７、２１が全部空で送信されることを仮定して制御ＲＢ集合を復号することができる。
【００７２】
なお、上述した例示は制御ＲＢ集合内でｓＤＣＩをｓＲＥＧレベルに分散（ｄｉｓｔｒｉｂｕｔｉｏｎ）させる場合に適用できる。即ち、ｓＲＥＧレベル以外にｓＣＣＥレベルなどのように他のレベルに分散させる制御ＲＢ集合が共存する場合は、該当制御ＲＢ集合については該当ビットを送信しないか、又は該当ビットを仮想ＣＲＣ（ｖｉｒｔｕａｌ  ＣＲＣ）として使用することができる。例えば、ＣＲＳ基盤のＲＢ集合には上述した実施例を適用してｓＤＣＩフォーマット内の１ビットフィールド（ｆｉｅｌｄ）により動的（ｄｙｎａｍｉｃ）に指示し、ＤＭＲＳ基盤のＲＢ集合には該当１ビットフィールドを仮想のＣＲＣ（ｖｉｒｔｕａｌ  ＣＲＣ）として活用できる。
【００７３】
より具体的には、制御ＲＢ集合内でｓＰＤＳＣＨと重なる領域のｓＣＣＥ、ｓＲＥＧ又はＲＢをグルーピングし、各グループのうちの１つをデータ送信に活用するように知らせるか、又はビットマップにより各グループがデータ送信に活用されるか否かを基地局が端末に知らせることができる。グルーピングに関する情報は、基地局が端末に上位層シグナリング及び／又は物理層シグナリングにより知らせることができる。
【００７４】
例えば、各グループの細分性（ｇｒａｎｕｌａｒｉｔｙ）（例えば、ｓＣＣＥ数、ｓＲＥＧ数、又はＲＢ数）Ｘを知らせ、
0006889278.tif 000011
のグループに分けて、各グループについてデータをレートマッチングして送信するか否かをビットマップで知らせることができる。但し、ＲＢ数に基づいてグルーピングを行う場合、制御ＲＢ集合が多数のシンボルで構成されると、該当ＲＢ数はシンボル当たりＲＢ数を意味することができる。
【００７５】
なお、制御ＲＢ集合のサイズが指示されたグループの細分性の倍数に構成されないと、最初又は最後のグループは、指示された細分性に基づいて構成された他のグループに含まれないｓＲＥＧ、ｓＣＣＥ、又はＲＢのみで構成されることができる。
【００７６】
また上述したように、ビットマップ情報は端末固有（ＵＥ−ｓｐｅｃｉｆｉｃ）又は端末共通（ＵＥ−ｃｏｍｍｏｎ）にシグナリングされることができ、制御ＲＢ集合内にグルーピングを開始するｓＣＣＥインデックスとグループの数及び／又は１つのグループを構成するｓＣＣＥ数を上位層シグナリング及び／又は物理層シグナリングにより基地局が端末に知らせることができる。
【００７７】
例えば、基地局が端末にグループの数を知らせた場合、各グループの細分性は、
0006889278.tif 000012
と定められ、もしグルーピング対象となる総ｓＣＣＥ数がグループ数の倍数ではない場合、最初又は最後のグループは他のグループに含まれないｓＲＥＧ、ｓＣＣＥ又はＲＢのみで構成されることができる。この時、端末は自分のｓＤＣＩが検出されたグループに対しては、特別なビット指示無しに、レートマッチングされることを仮定してデータを受信でき、これによりビットマップを構成するビット数を減らすことができる。言い換えれば、基地局は特定の端末のｓＤＣＩが送信されるグループに対しては特定の端末のためのデータをレートマッチングして送信でき、この時、特定の端末にはｓＤＣＩが送信されるグループのための別のビット指示（ｂｉｔ  Ｉｎｄｉｃａｔｉｏｎ）を送信しないことにより、ビットマップを構成するビット数を減らすことができる。
【００７８】
さらに他の方法として、端末が自分のｓＤＣＩが検出されたグループに対しては、特別な指示無しに、データを送信しないと仮定することにより、ビットマップを構成するビット数を減らすことができる。言い換えれば、基地局は特定の端末のｓＤＣＩが送信されるグループに対しては特定の端末のためのデータを送信しないことができ、このための特別な指示をしないことによりビットマップを構成するビット数を減らすことができる。
【００７９】
なお、上述したＸ値は制御ＲＢ集合ごとに異なるように設定でき、もしＸがｓＣＣＥ単位に対応すると、Ｘの最小値は該当制御ＲＢ集合に設定された最小ＡＬより大きいか又は最小ＡＬと等しい。即ち、制御ＲＢ集合ごとにビット数を異なるように設定できる。
【００８０】
また、上述した実施例は、システムで設定可能な最小の細分性と最大の制御ＲＢ集合サイズのような、システムで設定可能な特定の細分性と特定の制御ＲＢ集合サイズを仮定して、ｓＤＣＩのためのビット数を設定でき、もしこの設定されたビット数より少ないビット数がｓＤＣＩ送信に使用された場合は、残りのビットにゼロパディング（ｚｅｒｏ  ｐａｄｄｉｎｇ）してこれを仮想ＣＲＣとして活用できる。
【００８１】
反面、ｓＤＣＩのための指示フィールドのサイズが制御ＲＢ集合ごとに変更されるように設計された場合、該当端末が各制御ＲＢ集合でブラインド復号（ｂｌｉｎｄ  ｄｅｃｏｄｉｎｇ）を行う時に仮定するｓＤＣＩフォーマットのビットサイズを多数の制御ＲＢ集合に設定される全体ｓＤＣＩフォーマットのビットサイズ（又は該当ｓＤＣＩフォーマットのビットサイズ）のうち、大きいビットサイズを有するｓＤＣＩフォーマットのサイズに合わせてブラインド復号を行い、上記仮定されたｓＤＣＩフォーマットのビットサイズより小さいビットサイズを有する制御ＲＢ集合に対応する指示フィールドにはゼロパディングを行うことができる。それ以外にも、各制御ＲＢ集合ごとにゼロパディングなしに互いに異なるｓＤＣＩフォーマットのビットサイズに基づいてブラインド復号を行うこともできる。
【００８２】
もし特定のＴＴＩに対して複数の制御ＲＢ集合が設定された場合は、端末は自分のｓＤＣＩ（又はｓＰＤＣＣＨ）が検出されない制御ＲＢ集合に対して、該当制御ＲＢ集合の全体が空くか、それとも該当制御ＲＢ集合にデータをレートマッチングして送信するか否かに関する情報又は指示子を基地局から上位層シグナリング及び／又は物理層シグナリングにより受信することができる。
【００８３】
なお、該当制御ＲＢ集合にデータをレートマッチングして送信するか否かに関する情報又は指示子は、特定モードの形態で端末に伝達されることができる。例えば、データのレートマッチングに関する情報又は指示子が‘モードｎ’と設定される場合、端末は自分のｓＤＣＩが検出されない制御ＲＢ集合ではデータが送信されず、該当制御ＲＢ集合の全体が空くことと解釈できる。また端末は自分のｓＤＣＩが検出されない制御ＲＢ集合ではデータが送信されないと解釈された場合は、自分のｓＤＣＩが検出された制御ＲＢ集合ではデータが送信されることと仮定して、データの復号を試みることができる。
【００８４】
もし、上記方式で特定の端末に該当端末のｓＤＣＩが検出されない制御ＲＢ集合にデータがマッピングされないことを知らせると、該当制御ＲＢ集合を他の用途（例えば、他の端末に対するｓＤＣＩ送信）に活用できるという長所がある。但し、送信するデータ量が多く、端末のチャネル環境も良い場合には、ｓＤＣＩが検出されない制御ＲＢ集合をデータ送信に使用することにより、データ処理量を増加させることができるという長所がある。
【００８５】
よって上述した実施例は、端末の性能、送信するデータ量及び送信環境によって端末のｓＤＣＩが検出されない制御ＲＢ集合におけるデータのレートマッチング有無を指示して指示によって基地局が制御ＲＢ集合をデータ送信のために活用するか、又は他の端末に対するｓＤＣＩ送信のために活用することにより、さらに効率的なリソース活用が可能になる。
【００８６】
以下、これについて図９乃至図１１を参照しながらより具体的に説明する。
【００８７】
まず図９を参照しながら端末の動作について説明する。端末は基地局によりｓＤＣＩ送信のための複数の制御ＲＢ集合を設定する（Ｓ９０１）。また基地局から上記設定された複数の制御ＲＢ集合のうち、ｓＤＣＩが検出されない制御ＲＢ集合でデータがレートマッチングされて送信できるか否かに関する情報を受信する（Ｓ９０３）。
【００８８】
また端末は基地局から設定された制御ＲＢ集合の各々に対してｓＤＣＩの検出を試み（Ｓ９０５）、検出結果によって、設定された制御ＲＢ集合を介してデータを受信する。即ち、Ｓ９０３段階で受信された情報が、ｓＤＣＩが検出されない制御ＲＢ集合でデータがレートマッチングされて送信されることを示す場合、端末はｓＤＣＩが検出されない制御ＲＢ集合でデータの復号を試みることができる。反面、受信された情報がｓＤＣＩが検出されない制御ＲＢ集合でデータが送信されないことを示す場合は、端末はｓＤＣＩが検出されない制御ＲＢ集合でデータの復号を試みない（Ｓ９０７）。
【００８９】
以下、図１０を参照しながら、上述した実施例に対する基地局の動作について説明する。
【００９０】
図１０を参照すると、基地局はｓＤＣＩ送信のための制御ＲＢ集合を端末に設定する（Ｓ１００１）。また、基地局は上記設定された複数の制御ＲＢ集合のうち、ｓＤＣＩが検出されない制御ＲＢ集合でデータがレートマッチングされて送信できるか否かに関する情報を端末に送信する（Ｓ１００３）。
【００９１】
また基地局は設定された制御ＲＢ集合のうち、少なくとも１つの制御ＲＢ集合によりｓＤＣＩを端末に送信する（Ｓ１００５）。また基地局は設定された制御ＲＢ集合のうち、ｓＤＣＩが送信されないリソース領域によりデータをレートマッチングして送信できるが、この時、Ｓ１００３段階で送信した情報に基づいてデータを送信することができる。即ち、Ｓ１００３段階で送信した情報が、ｓＤＣＩが検出されない制御ＲＢ集合でデータが送信されないことを示す場合、基地局は該当制御ＲＢ集合ではデータを送信しない。反面、送信した情報が、ｓＤＣＩが検出されない制御ＲＢ集合でデータが送信されることを示す場合は、基地局は該当制御ＲＢ集合にデータをレートマッチングして端末に送信することができる（Ｓ１００７）。
【００９２】
図１１を参照しながら、上述した実施例に関する全体的な通信システムの動作について説明する。
【００９３】
図１１を参照すると、本発明による通信システムは１つ以上の基地局（ＢＳ）と１つ以上の端末（ＵＥ）を含む。
【００９４】
なお、本発明の一実施例によれば、本発明による通信システムを構成する基地局は、ｓＤＣＩ送信のための制御ＲＢ集合を端末に設定する（Ｓ１１０１）。また基地局はｓＤＣＩが検出されない制御ＲＢ集合によりデータをレートマッチングして送信できるか否かに関する情報を端末に送信する（Ｓ１１０３）。また基地局はＳ１１０３段階で送信した情報に基づいて設定された制御ＲＢ集合内でｓＤＣＩとデータを送信できる。即ち、Ｓ１１０３段階で送信した情報がｓＤＣＩが検出されない制御ＲＢ集合によりデータをレートマッチングして送信することを指示する場合、基地局は該当制御ＲＢ集合にデータをレートマッチングして送信する。反面、Ｓ１１０３段階で送信した情報がｓＤＣＩが検出されない制御ＲＢ集合ではデータが送信されないことを指示する場合は、基地局は該当制御ＲＢ集合ではデータを送信しない（Ｓ１１０５）。
【００９５】
なお、設定された制御ＲＢ集合により信号を受信した端末は、制御ＲＢ集合の各々でｓＤＣＩを検出しようとする（Ｓ１１０７）。またＳ１１０３段階で受信した情報に基づいて制御ＲＢ集合の各々でデータの復号を試みる。即ち、Ｓ１１０３段階で受信された情報がｓＤＣＩが検出されない制御ＲＢ集合ではデータが送信されないことを示すと、該当制御ＲＢ集合ではデータの復号を試みない。反面、Ｓ１１０３段階で受信された情報がｓＤＣＩが検出されない制御ＲＢ集合でデータがレートマッチングされて送信されることを示すと、該当制御ＲＢ集合でもデータの復号を行うことができる（Ｓ１１０９）。
【００９６】
一方、基地局は、端末が自分のｓＤＣＩが検出された制御ＲＢ集合に対してｓＤＣＩが送信されるｓＲＥＧと同じＲＢに位置する隣接シンボルにデータをレートマッチングして送信するか否かで使用する指示ビット（Ｉｎｄｉｃａｔｉｏｎ  ｂｉｔ）を共有して該当情報を端末に知らせることができる。例えば、１ビット指示子により、基地局は端末が自分のｓＤＣＩが検出された制御ＲＢ集合に対してｓＤＣＩが送信されるｓＲＥＧと同じＲＢに位置する隣接シンボルにデータをレートマッチングして送信するか否か、及び自分のｓＤＣＩが検出されない制御ＲＢ集合にデータをレートマッチングして送信するか否かを同時に知らせることができる。
【００９７】
又は、上記指示動作の様々な組み合わせも可能である。例えば、各々の情報を独立した１ビットで各々指示することもできる。即ち、端末が自分のｓＤＣＩが検出された制御ＲＢ集合に対してｓＤＣＩが送信されるｓＲＥＧと同じＲＢに位置する隣接シンボルにデータをレートマッチングして送信するか否かを知らせる１ビット指示子、及び自分のｓＤＣＩが検出されない制御ＲＢ集合に対して全体を空にするか、或いはデータをレートマッチングして送信するかを知らせる１ビット指示子が各々知らせることができる。この時、各々の１ビット指示子は上位層シグナリング及び／又は物理層シグナリングにより知らせることができる。
【００９８】
即ち、各々のビットを全て物理層シグナリングや上位層シグナリングにより知らせることができ、両方のうちの１つは物理層シグナリングにより送信し、他の１つは上位層シグナリングにより送信することもできる。
【００９９】
かかる方式は、様々なビットの組み合わせを送信する本発明の全ての実施例に適用することができる。また端末は自分のｓＤＣＩが検出されない制御ＲＢ集合については該当領域でデータが送信されないと仮定して、基地局が送信する信号を受信し、ｓＤＣＩが検出される制御ＲＢ集合でのみデータのレートマッチング有無を指示する指示子を受信して、指示子の指示によってｓＤＣＩが検出される制御ＲＢ集合でデータを受信することができる。かかる実施例は、局部的（ｌｏｃａｌｉｚｅｄ）マッピング又は分散的（ｄｉｓｔｒｉｂｕｔｅｄ）マッピング方法のうちの１つのみに適用されることもできる。
【０１００】
また基地局が端末に上位層シグナリング及び／又は物理層シグナリングにより制御ＲＢ集合内で所定の領域を知らせることができる。この時、所定の領域は常に他の端末のｓＤＣＩ送信のために使用されることができる。反面、所定の領域にデータをレートマッチングして送信するか否かを上位層シグナリング及び／又は物理層シグナリングにより指示し、これに基づいて所定の領域でデータを受信することもできる。なお、所定の領域はｓＲＥＧ単位、ｓＣＣＥ単位又はＲＢ単位で設定される。
【０１０１】
それ以外にも、制御ＲＢ集合を構成するシンボル数及び／又は送信方式（例えば、ＣＲＳ基盤の送信であるか又はＤＭＲＳ基盤の送信であるか）によってビット指示を行うか否かを決定できる。即ち、ｓＤＣＩフォーマット内における該当ビット指示フィールドの存在有無を決定することができる。
【０１０２】
又は、制御ＲＢ集合内のマッピング規則（ｍａｐｐｉｎｇ  ｒｕｌｅ）によって制御情報とデータの多重化のためのビット指示方式の適用有無を変更できる。例えば、制御ＲＢ集合が局部的マッピングで構成される場合、該当制御ＲＢ集合で送信されるｓＤＣＩは制御情報とデータの多重化のための別のビット指示無しに送信され、この場合、データは該当制御ＲＢ集合内で該当端末のｓＤＣＩのみを考慮してデータをレートマッチングすることができる。
【０１０３】
反面、制御ＲＢ集合が分散的マッピングで構成される場合は、該当制御ＲＢ集合内で送信されるｓＤＣＩは制御情報とデータの多重化のための別のビット指示フィールド（ｂｉｔ  Ｉｎｄｉｃａｔｉｏｎ  ｆｉｅｌｄ）を含んで送信され、この時、該当制御ＲＢ集合内でデータはビット指示フィールドにより指示された領域により送信される。
【０１０４】
この時、端末は局部的マッピングに設定された制御ＲＢ集合内ではｓＤＣＩをブラインド復号する時、ビット指示フィールドのないｓＤＣＩサイズを仮定してブラインド復号を試み、分散的マッピングに設定された制御ＲＢ集合内ではｓＤＣＩをブラインド復号する時、ビット指示フィールドが含まれたｓＤＣＩサイズを仮定してブラインド復号を試みることができる。
【０１０５】
ここで、分散的マッピングで構成された制御ＲＢ集合で適用されるビット指示フィールドの場合、固定サイズであることができ、本発明に記載された複数の条件によって異なるサイズを適用できる。例えば、ビット指示フィールドのサイズは、システム帯域幅及び／又は制御ＲＢ集合のサイズなどによって互いに異なるサイズに設定できる。一方、本発明において制御ＲＢ集合は、制御チャネルにおける制御情報送信のためのＲＢ集合を意味することが明らかである。
【０１０６】
また、システム帯域幅又は制御リソース集合を構成するＣＣＥ数及び／又はＲＢ数によってビット指示フィールドのためのビット数が変化することができる。
【０１０７】
これは、システム帯域幅によってＲＡ（Ｒｅｓｏｕｒｃｅ  Ａｌｌｏｃａｔｉｏｎ）フィールドのサイズが変化でき、ｓＤＣＩフォーマットのサイズが大きいほど、即ちペイロードのサイズが大きいｓＤＣＩフォーマット（ｈｉｇｈ  ｐａｙｌｏａｄ  ｓＤＣＩ  ｆｏｒｍａｔ）であるほど、ｓＤＣＩフォーマット内におけるさらなるビットの増加はｓＤＣＩ送信の性能に致命的な影響を及ぼすためである。
【０１０８】
なお、本発明において、ｓＤＣＩフォーマット内のフィールド（例えば、ビットマップ）に指示するビットは、物理層シグナリング又は上位層シグナリングにより指示される。
【０１０９】
図１２は本発明を行う送信装置１０及び受信装置２０の構成要素を示すブロック図である。
【０１１０】
送信装置１０及び受信装置２０は、情報及び／又はデータ、信号、メッセージなどを運ぶ無線信号を送受信可能なＲＦ（ｒａｄｉｏ  Ｆｒｅｑｕｅｎｃｙ）ユニット１３，２３、無線通信システム内の通信に関連する各種情報を貯蔵するメモリ１２，２２、及び上記ＲＦユニット１３，２３及びメモリ１２，２２などの構成要素と動作可能に連結され、上記構成要素を制御して該当装置が前述した本発明の実施例のうちのいずれか１つを行うようにメモリ１２，２２及び／又はＲＦユニット１３，２３を制御するプロセッサ１１，２１を含む。
【０１１１】
メモリ１２，２２はプロセッサ１１，２１の処理及び制御のためのプログラムを貯蔵し、入出力される情報を一時的に貯蔵する。メモリ１２，２２はバッファーとしても活用できる。
【０１１２】
通常、プロセッサ１１，２１は、送信装置又は受信装置内の各種モジュールの全般的な動作を制御する。特に、プロセッサ１１，２１は本発明を行うための各種制御機能を行う。プロセッサ１１，２１はコントローラ、マイクロコントローラ、マイクロプロセッサ、マイクロコンピューターなどとも呼ばれる。プロセッサ１１，２１は、ハードウェア又はファームウェア（ｆｉｒｍｗａｒｅ）、ソフトウェア又はこれらの結合により具現化される。ハードウェアを用いて本発明を具現化する場合、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１，２１に備えられる。なお、ファームウェアやソフトウェアによる具現化の場合、本発明の一実施例は、前述した機能又は動作を行うモジュール、手続、関数などを含むようにファームウェアやソフトウェアが構成され、本発明を行えるように構成されたファームウェアやソフトウェアは、プロセッサ１１，２１内に備えられるか、メモリ１２，２２に貯蔵されてプロセッサ１１，２１によって駆動することができる。
【０１１３】
送信装置１０のプロセッサ１１は、プロセッサ１１又は該プロセッサ１１に連結されたスケジューラからスケジュールされて外部に送信される信号及び／又はデータに対して所定の符号化（ｃｏｄｉｎｇ）及び変調（ｍｏｄｕｌａｔｉｏｎ）を行った後、ＲＦユニット１３に送信する。例えば、プロセッサ１１は、送信しようとするデータ列を逆多重化及びチャネル符号化、スクランブル、変調過程などによりＫ個のレイヤに変換する。符号化されたデータ列はコードワードとも称され、ＭＡＣ層が提供するデータブロックであるトランスポートブロックと等価である。１トランスポートブロック（ｔｒａｎｓｐｏｒｔ  ｂｌｏｃｋ、ＴＢ）は１コードワードに符号化され、各コードワードは１つ以上のレイヤ形態で受信装置に送信される。周波数上り変換のためにＲＦユニット１３はオシレータ（ｏｓｃｉｌｌａｔｏｒ）を含むことができる。ＲＦユニット１３はＮt個（Nt  は１以上の正の整数）の送信アンテナを含むことができる。
【０１１４】
受信装置２０の信号処理過程は送信装置１０の信号処理過程の逆に構成される。プロセッサ２１の制御下で、受信装置２０のＲＦユニット２３は送信装置１０により送信された無線信号を受信する。ＲＦユニット２３はNr個の受信アンテナを含み、ＲＦユニット２３は受信アンテナにより受信された信号を各々周波数下り変換して（ｆｒｅｑｕｅｎｃｙ  ｄｏｗｎ−ｃｏｎｖｅｒｔ）基底帯域信号に復元する。ＲＦユニット２３は周波数下り変換のためにオシレータを含むことができる。プロセッサ２１は受信アンテナにより受信された無線信号に対する復号（ｄｅｃｏｄｉｎｇ）及び復調（ｄｅｍｏｄｕｌａｔｉｏｎ）を行って、送信装置１０が元来送信しようとするデータを復元することができる。
【０１１５】
ＲＦユニット１３、２３は１つ以上のアンテナを備える。アンテナは、プロセッサ１１、２１の制御下で本発明の一実施例によって、ＲＦユニット１３、２３により処理された信号を外部に送信するか、又は外部から無線信号を受信してＲＦユニット１３、２３に伝達する機能を行う。アンテナはアンテナポートとも呼ばれる。各アンテナは１つの物理アンテナに該当するか、又は１つより多い物理アンテナ要素の組み合わせにより構成される。各アンテナから送信された信号は受信装置２０によりそれ以上には分解されない。該当アンテナに対応して送信された参照信号（ｒｅｆｅｒｅｎｃｅ  ｓｉｇｎａｌ、ＲＳ）は、受信装置２０の観点で本アンテナを定義し、チャネルが一物理アンテナからの単一（ｓｉｎｇｌｅ）無線チャネルであるか或いはアンテナを含む複数の物理アンテナ要素からの合成（ｃｏｍｐｏｓｉｔｅ）チャネルであるかに関係なく、受信装置２０をしてアンテナに対するチャネル推定を可能にする。即ち、アンテナはアンテナ上のシンボルを伝達するチャネルが同じアンテナ上の他のシンボルが伝達されるチャネルから導き出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合、２つ以上のアンテナに連結されることができる。
【０１１６】
本発明においてＲＦユニット１３、２３は受信ビーム形成と送信ビーム形成を支援する。例えば、本発明において、ＲＦユニット１３,２３は図１乃至図１１に例示された機能を行うように構成される。また本発明において、ＲＦユニット１３、２３はトランシーバーとも呼ばれる。
【０１１７】
本発明の実施例において、ＵＥは上りリンクでは送信装置１０として動作し、下りリンクでは受信装置２０として動作する。本発明の実施例において、ｅＮＢは上りリンクでは受信装置２０として動作し、下りリンクでは送信装置１０として動作する。以下、ＵＥに備えられたプロセッサ、ＲＦユニット及びメモリをＵＥプロセッサ、ＵＥ  ＲＦユニット及びＵＥ  メモリと称し、ｅＮＢに備えられたプロセッサ、ＲＦユニット及びメモリをｅＮＢプロセッサ、ｅＮＢ  ＲＦユニット及びｅＮＢメモリと各々称する。
【０１１８】
本発明のｅＮＢプロセッサは、ｓＤＣＩ送信のための制御ＲＢ集合に対する情報をＵＥに送信するようにトランシーバーを制御することにより、ｓＤＣＩ送信のための制御ＲＢ集合をＵＥに設定する。またｅＮＢプロセッサは、上記設定された複数の制御ＲＢ集合のうち、ｓＤＣＩが検出されない制御ＲＢ集合でデータがレートマッチングされて送信されるか否かに関する情報をＵＥに送信するようにトランシーバーを制御する。
【０１１９】
またｅＮＢプロセッサは設定された制御ＲＢ集合のうち、少なくとも１つの制御ＲＢ集合によりｓＤＣＩを端末に送信するようにトランシーバーを制御する。またｅＮＢプロセッサは設定された制御ＲＢ集合のうち、ｓＤＣＩが送信されないリソース領域によりデータをレートマッチングして送信するようにトランシーバーを制御できるが、この時、ＵＥに送信した情報に基づいてトランシーバーを制御することができる。
【０１２０】
即ち、ＵＥに送信した情報がｓＤＣＩが検出されない制御ＲＢ集合でデータが送信されないことを指示する場合、ｅＮＢプロセッサは該当制御ＲＢ集合ではデータを送信しないようにトランシーバーを制御する。反面、送信した情報がｓＤＣＩが検出されない制御ＲＢ集合でデータが送信されることを指示する場合は、ｅＮＢプロセッサは該当制御ＲＢ集合にデータをレートマッチングしてＵＥに送信するようにトランシーバーを制御する。
【０１２１】
なお、ＵＥに送信した情報はｓＤＣＩが検出される制御ＲＢ集合でデータが送信されないことを指示することもでき、この場合、ｅＮＢプロセッサは該当制御ＲＢ集合ではデータを送信しないようにトランシーバーを制御できる。反面、送信した情報がｓＤＣＩが検出される制御ＲＢ集合でデータが送信されることを指示する場合は、ｅＮＢプロセッサは該当制御ＲＢ集合でデータを送信するようにトランシーバーを制御できる。
【０１２２】
本発明のＵＥプロセッサは、基地局からｓＤＣＩ送信のための複数の制御ＲＢ集合に関する情報を受信するようにトランシーバーを制御して、複数の制御ＲＢ集合を設定する。また、ＵＥプロセッサは、基地局から上記設定された複数の制御ＲＢ集合のうち、ｓＤＣＩが検出されない制御ＲＢ集合でデータがレートマッチングされて送信できるか否かに関する情報を受信するようにトランシーバーを制御する。
【０１２３】
またＵＥプロセッサは、設定された制御ＲＢ集合の各々に対してｓＤＣＩの検出を試み、検出結果によって、設定された制御ＲＢ集合によりデータを受信するようにトランシーバーを制御する。即ち、基地局から受信された情報がｓＤＣＩが検出されない制御ＲＢ集合でデータがレートマッチングされて送信されることを示す場合、ＵＥプロセッサはｓＤＣＩが検出されない制御ＲＢ集合でデータの復号を試みることができる。反面、基地局から受信された情報がｓＤＣＩが検出されない制御ＲＢ集合でデータが送信されないことを示す場合は、ＵＥプロセッサはｓＤＣＩが検出されない制御ＲＢ集合でデータの復号を試みない。
【０１２４】
一方、基地局から受信した情報はｓＤＣＩが検出される制御ＲＢ集合でデータが送信されないことを指示することもでき、この場合は、ＵＥプロセッサは該当制御ＲＢ集合ではデータの復号を試みないことができる。反面、受信した情報がｓＤＣＩが検出される制御ＲＢ集合でデータが送信されることを指示する場合は、ＵＥプロセッサは該当制御ＲＢ集合でデータを受信するようにトランシーバーを制御する。
【０１２５】
上述したように開示された本発明の好ましい実施形態に対する詳細な説明は、当業者が本発明を具現化して実施できるように提供された。以上では、本発明の好ましい実施形態を参照して説明したが、該当技術分野で熟練した当業者であれば、下記の特許請求の範囲に記載した本発明の思想及び領域から逸脱しない範囲内で本発明を多様に修正及び変更可能であることを理解できるだろう。よって、本発明は、ここで示した各実施形態に制限されるものではなく、ここで開示された各原理及び新規の各特徴と一致する最も広い範囲を付与しようとするものである。
【産業上の利用可能性】
【０１２６】
以上、下りリンクデータを送受信する方法及びそのための装置について、３ＧＰＰ  ＬＴＥシステムに適用される例を中心として説明したが、３ＧＰＰ  ＬＴＥシステム以外にも様々な無線通信システムに適用することができる。
【図１】
0006889278.tif 000013
【図２】
0006889278.tif 000014
【図３】
0006889278.tif 000015
【図４】
0006889278.tif 000016
【図５】
0006889278.tif 000017
【図６】
0006889278.tif 000018
【図７】
0006889278.tif 000019
【図８】
0006889278.tif 000020
【図９】
0006889278.tif 000021
【図１０】
0006889278.tif 000022
【図１１】
0006889278.tif 000023
【図１２】
0006889278.tif 000024